(57)【要約】【課題】広視野角と高コントラストとを両立した画像表示を実現する透過型スクリーン、および背面投射型表示装置を提供する。【解決手段】透過型スクリーン１０は、励起光ＵＶによって励起されて発光する蛍光体２Ｒ，２Ｇ，２Ｂを含む蛍光体層２と、蛍光体層２に対して励起光ＵＶの入射側とは反対側に設けられ、励起光ＵＶを反射させるとともに、蛍光体層２が発する可視光Ｒ，Ｇ，Ｂを透過させる第１の選択反射層３と、蛍光体層２と第１の選択反射層３との間に設けられ、励起光ＵＶと蛍光体層２が発する可視光Ｒ，Ｇ，Ｂとのいずれか一方の照射により、可視光を吸収する状態から可視光を透過させる状態へ遷移するフォトクロミック化合物を含む感光層５と、を有している。【選択図】図１
2012220668.tif 000002
【特許請求の範囲】
【請求項１】
励起光によって励起されて発光する蛍光体を含む蛍光体層と、
前記蛍光体層に対して前記励起光の入射側とは反対側に設けられ、前記励起光を反射または吸収するとともに、前記蛍光体層が発する可視光を透過させる第１の選択反射層と、
前記蛍光体層と前記第１の選択反射層との間に設けられ、前記励起光と前記蛍光体層が発する可視光とのいずれか一方の照射により、可視光を吸収する状態から可視光を透過させる状態へ遷移するフォトクロミック化合物を含む感光層と、
を有する透過型スクリーン。
【請求項２】
前記フォトクロミック化合物が、前記励起光以外および前記蛍光体層が発する可視光以外の光の照射により、前記可視光を透過させる状態から前記可視光を吸収する状態へ遷移するようになっている、請求項１に記載の透過型スクリーン。
【請求項３】
前記フォトクロミック化合物が、前記蛍光体層が発する特定波長の可視光の照射により、前記可視光を透過させる状態において、前記特定波長の可視光を透過させるようになっている、請求項２に記載の透過型スクリーン。
【請求項４】
前記フォトクロミック化合物が、前記励起光の照射により、前記可視光を透過させる状態において、可視領域全域の光を透過させるようになっている、請求項２に記載の透過型スクリーン。
【請求項５】
前記第１の選択反射層が、前記蛍光体層から発せられ、前記感光層を透過した異なる波長の可視光を選択的に透過させるようになっている、請求項４に記載の透過型スクリーン。
【請求項６】
前記感光層が、複数の前記フォトクロミック化合物を含み、それぞれの前記フォトクロミック化合物が、前記励起光の照射により、前記可視光を透過させる状態において、前記蛍光体層から発せられた互いに異なる波長の可視光を透過させるようになっている、請求項２に記載の透過型スクリーン。
【請求項７】
前記励起光が紫外光であり、前記蛍光体層が、赤色光を発する赤色蛍光体と、緑色光を発する緑色蛍光体と、青色光を発する青色蛍光体とを有する、請求項３から６のいずれか１項に記載の透過型スクリーン。
【請求項８】
前記赤色蛍光体と前記緑色蛍光体と前記青色蛍光体とが、ストライプ状に交互に配置されている、請求項７に記載の透過型スクリーン。
【請求項９】
前記赤色蛍光体と前記緑色蛍光体と前記青色蛍光体とが、マトリクス状に配置されている、請求項７に記載の透過型スクリーン。
【請求項１０】
前記蛍光体層が、前記赤色蛍光体と前記緑色蛍光体と前記青色蛍光体との間に設けられ、可視光を吸収するブラックストライプを有する、請求項７から９のいずれか１項に記載の透過型スクリーン。
【請求項１１】
前記感光層が、前記蛍光体層の前記ブラックストライプに対応するように設けられ、該ブラックストライプと同様のブラックストライプを有する、請求項１０に記載の透過型スクリーン。
【請求項１２】
前記励起光以外および前記蛍光体層が発する可視光以外の光が、赤外光である、請求項７から１１のいずれか１項に記載の透過型スクリーン。
【請求項１３】
前記励起光が、赤色光、緑色光、および青色光のいずれか１つの色光であり、前記蛍光体層が、前記いずれか１つの色光を拡散する拡散材と、残りの２つの色光をそれぞれ発する２つの蛍光体とを有する、請求項３から６のいずれか１項に記載の透過型スクリーン。
【請求項１４】
前記２つの蛍光体と前記拡散材とが、ストライプ状に交互に配置されている、請求項１３に記載の透過型スクリーン。
【請求項１５】
前記２つの蛍光体と前記拡散材とが、マトリクス状に配置されている、請求項１３に記載の透過型スクリーン。
【請求項１６】
前記蛍光体層が、前記２つの蛍光体と前記拡散材との間に設けられ、可視光を吸収するブラックストライプを有する、請求項１３から１５のいずれか１項に記載の透過型スクリーン。
【請求項１７】
前記感光層が、前記蛍光体層の前記ブラックストライプに対応するように設けられ、該ブラックストライプと同様のブラックストライプを有する、請求項１６に記載の透過型スクリーン。
【請求項１８】
前記励起光以外および前記蛍光体層が発する可視光以外の光が、紫外光である、請求項１３から１７のいずれか１項に記載の透過型スクリーン。
【請求項１９】
前記励起光が青色光であり、前記蛍光体層が、前記青色光を拡散する拡散材と、前記赤色光を発する赤色蛍光体と、前記緑色光を発する緑色蛍光体とを有する、請求項１３から１８のいずれか１項に記載の透過型スクリーン。
【請求項２０】
前記第１の選択反射層が、前記励起光を反射させる誘電体多層膜ミラーからなる、請求項１から１９のいずれか１項に記載の透過型スクリーン。
【請求項２１】
前記第１の選択反射層が、前記励起光を吸収するカラーフィルタからなる、請求項１から２０のいずれか１項に記載の透過型スクリーン。
【請求項２２】
前記蛍光体層に対して前記励起光の入射側に設けられ、前記励起光を透過させるとともに、前記蛍光体層が発する可視光を反射させる第２の選択反射層を有する、請求項１から２１のいずれか１項に記載の透過型スクリーン。
【請求項２３】
前記第２の選択反射層が誘電体多層膜ミラーからなる、請求項２２に記載の透過型スクリーン。
【請求項２４】
前記蛍光体層と前記感光層とが一体的に形成されている、請求項１から２３のいずれか１項に記載の透過型スクリーン。
【請求項２５】
前記フォトクロミック化合物が、加熱により、前記可視光を透過させる状態から前記可視光を吸収する状態へ遷移するようになっている、請求項１から２４のいずれか１項に記載の透過型スクリーン。
【請求項２６】
請求項１から２５のいずれか１項に記載の透過型スクリーンと、画像信号に応じて変調した前記励起光を前記透過型スクリーンに投射する映像投射部と、を備えた背面投射型表示装置。
【発明の詳細な説明】
【技術分野】
【０００１】
本発明は、透過型スクリーン、および背面投射型表示装置に関する。
【背景技術】
【０００２】
背面投射型表示装置（リアプロジェクタ）は、観察者から見て透過型スクリーンの裏側に配置された映像投射部から、映像信号に応じて変調された画像光をスクリーンに投射して、観察者に画像を表示させる表示装置である。
【０００３】
高コントラストの画像表示が求められるリアプロジェクタでは、特定波長の光の照射により色が変化するフォトクロミック化合物を利用して、コントラストを向上させる提案がなされている。
【０００４】
例えば、特許文献１には、不可視光が投射されることにより可視光の反射率、透過率および吸収率の少なくとも１つが変化する材料（フォトクロミック化合物）を有する、リアプロジェクションテレビ用の透過型画像投射スクリーンが開示されている。このスクリーンに、不可視光である紫外光が照射されると、その照射領域では、透明材料であるフォトクロミック化合物の可視光に対する反射率が低下して吸収率が増加する。すなわち、紫外光が照射された領域では、フォトクロミック化合物が黒く発色する。したがって、画像の暗部に対応する箇所に紫外光を照射することで、スクリーンを黒く発色させ、コントラストを向上させることが可能となる。
【先行技術文献】
【特許文献】
【０００５】
【特許文献１】国際公開第２００７／１０８３８７号
【発明の概要】
【発明が解決しようとする課題】
【０００６】
しかしながら、上述の透過型画像投射スクリーンでは、画像光として、可視光である光の三原色（ＲＧＢ）が用いられ、ＲＧＢの光がスクリーンの背面側に投写されて透過拡散されることで、画像が形成されている。そのため、スクリーンに対する観察者の位置によっては、画像が暗く見えたり、色相が変化したりするといった問題が生じる場合がある。すなわち、上述のスクリーンでは、フォトクロミック化合物を用いることによりコントラストを向上させることができたとしても、視野角依存性の問題が依然として存在することになる。
【０００７】
そこで本発明は、広視野角と高コントラストとを両立した画像表示を実現する透過型スクリーン、および背面投射型表示装置を提供することを目的とする。
【課題を解決するための手段】
【０００８】
上述した目的を達成するために、本発明の透過型スクリーンは、励起光によって励起されて発光する蛍光体を含む蛍光体層と、蛍光体層に対して励起光の入射側とは反対側に設けられ、励起光を反射または吸収するとともに、蛍光体層が発する可視光を透過させる第１の選択反射層と、蛍光体層と第１の選択反射層との間に設けられ、励起光と蛍光体層が発する可視光とのいずれか一方の照射により、可視光を吸収する状態から可視光を透過させる状態へ遷移するフォトクロミック化合物を含む感光層と、有している。
【０００９】
また、本発明の背面投射型表示装置は、上記に記載の透過型スクリーンと、画像信号に応じて変調した励起光を透過型スクリーンに投射する映像投射部と、を備えている。
【発明の効果】
【００１０】
以上、本発明によれば、広視野角と高コントラストとを両立した画像表示を実現する透過型スクリーン、および背面投射型表示装置を提供することができる。
【図面の簡単な説明】
【００１１】
【図１】本発明の第１の実施形態における透過型スクリーンの概略断面図である。
【図２】図１に示す透過型スクリーンの蛍光体層の概略平面図である。
【図３】本発明の透過型スクリーンを備えた背面投射型表示装置の構成を示す概略図である。
【図４】本発明の第２の実施形態における透過型スクリーンの概略断面図である。
【図５】本発明の第３の実施形態における透過型スクリーンの概略断面図である。
【図６】本発明の第４の実施形態における透過型スクリーンの概略断面図である。
【図７】本発明の第５の実施形態における透過型スクリーンの概略断面図である。
【図８】本発明の第６の実施形態における透過型スクリーンの概略断面図である。
【図９】本発明の第７の実施形態における透過型スクリーンの概略断面図である。
【図１０】本発明の第８の実施形態における透過型スクリーンの概略断面図である。
【発明を実施するための形態】
【００１２】
以下、図面を参照して、本発明の実施の形態について説明する。
【００１３】
本発明の透過型スクリーンは、背面投射型表示装置（リアプロジェクタ）の一部を構成し、観察者から見てスクリーンの裏側から画像光（励起光）を投射することで画像を表示するスクリーンである。以下、本明細書では、励起光が入射する側の面を「背面」とし、画像が表示される側の面を「前面」として、本発明の透過型スクリーンを説明する。
【００１４】
（第１の実施形態）
図１は、本発明の第１の実施形態における透過型スクリーンの構成を示す概略断面図である。
【００１５】
本実施形態の透過型スクリーン１０は、蛍光体層２を有している。蛍光体層２は、映像投射部１００から投射される励起光によって励起されて発光する蛍光体を含んでおり、赤色光Ｒを発する赤色蛍光体２Ｒと、緑色光Ｇを発する緑色蛍光体２Ｇと、青色光Ｂを発する青色蛍光体２Ｂとから構成されている。本実施形態では、各蛍光体２Ｒ，２Ｇ，２Ｂを励起するための励起光として、紫外領域のレーザ光（紫外光）が用いられる。
【００１６】
図２は、本実施形態の透過型スクリーン１０に用いる蛍光体層２の概略平面図である。図２からもわかるように、各蛍光体２Ｒ，２Ｇ，２Ｂは、ストライプ状に交互に配置され、それらの間には、カーボンブラックなどからなるブラックストライプ２Ｋが設けられている。ブラックストライプ２Ｋは、コントラストを向上させるとともに、隣接する蛍光体からの可視光を吸収して色純度を向上させる機能を有している。
【００１７】
蛍光体層２は、赤色蛍光体、緑色蛍光体、および青色蛍光体がマトリクス状に配置され、それらの間にブラックマトリクスが設けられるように構成されていてもよい。
【００１８】
再び図１を参照すると、蛍光体層２を挟んだ前面側および背面側には、それぞれ第１および第２の選択反射層３，４が設けられている。第１の選択反射層３が、蛍光体層２の前面側、すなわち蛍光体層２に対して励起光である紫外光ＵＶの入射側とは反対側に設けられ、第２の選択反射層４が、蛍光体層２の背面側、すなわち蛍光体層２に対して紫外光ＵＶの入射側に設けられている。
【００１９】
蛍光体層２の前面側の第１の選択反射層３は、誘電体多層膜ミラーからなり、映像投射部１００から投射される紫外光（励起光）ＵＶを反射させるとともに、蛍光体層２が発した光を透過させるように構成されている。これにより、蛍光体層２を励起した紫外光が蛍光体層２を透過したとしても、そのような紫外光がスクリーン１０前面側の観察者まで達するのを防止することができる。また、外光に含まれる紫外光を反射させることで、そのような紫外光により各蛍光体２Ｒ，２Ｇ，２Ｂが励起されて発光することも防止することができる。
【００２０】
蛍光体層２の背面側の第２の選択反射層４は、第１の選択反射層３と同様に、誘電体多層膜ミラーからなるが、第１の選択反射層３とは異なり、紫外光ＵＶを透過させるとともに、蛍光体層２が発した光を反射させるように構成されている。これにより、蛍光体層２からの等方的な発光のうち、スクリーン１０の背面側に放射される光を前面側に取り出すことができ、光の利用効率を向上させることができる。
【００２１】
第１の選択反射層３は、誘電体多層膜ミラーからなる代わりに、カラーフィルタから構成されていてもよい。その場合、カラーフィルタは、可視光（赤色光、緑色光、および青色光）を透過させ、紫外光（励起光）を吸収するように構成されている必要がある。
【００２２】
さらに、蛍光体層２と第１の選択反射層３との間には、特定波長の光の照射により光の透過率が変化するフォトクロミック化合物を含む感光層５が設けられている。本実施形態で用いるフォトクロミック化合物は、通常は黒色または褐色であり可視光を吸収するが、特定波長の可視光の照射により、その特定波長の可視光を透過させるようになっている。すなわち、通常は黒色または褐色である感光層５では、特定波長の可視光が照射されると、その照射領域だけが、その可視光の色に発色して見えるようになる。これにより、蛍光体層２から発せられる三原色（ＲＧＢ）の光は、感光層５を透過することで、コントラストを向上させることが可能となる。また、フォトクロミック化合物は、加熱や、励起光である紫外光以外および蛍光体が発する可視光以外の光、例えば赤外光ＩＲの照射により、元の黒色または褐色に着色されるようになっている。これに伴い、蛍光体層２は、感光層５に作用する赤外光ＩＲを透過させることができる。
【００２３】
フォトクロミック化合物としては、上述の機能を発揮できるものを適宜選択することができ、例えば、銀ナノ粒子−酸化チタン複合膜を使用することができる。
【００２４】
上述した各層２−５は、ガラスなどからなるベース部材６によって支持されている。また、第１の選択反射層３の前面側には、蛍光体層２の各蛍光体２Ｒ，２Ｇ，２Ｂや感光層５のフォトクロミック化合物などの劣化および破損を防止するために、ガラス、ポリエチレンテレフタラート（ＰＥＴ）などからなる保護層７が設けられている。
【００２５】
ここで、本実施形態の透過型スクリーン１０の画像表示動作について説明する。
【００２６】
映像投射部１００から射出された紫外光ＵＶは、背面側から透過型スクリーン１０に入射し、ベース基材６および第２の選択反射層４を透過する。第２の選択反射層４を透過した紫外光ＵＶは、蛍光体層２に入射し、各蛍光体２Ｒ，２Ｇ，２Ｂを励起する。紫外光ＵＶによって励起された各蛍光体２Ｒ，２Ｇ，２Ｂから発せられたＲＧＢの光は、背面側で第２の選択反射層４によって反射された分と合わせて、前面側に位置する感光層５に入射する。
【００２７】
感光層５のフォトクロミック化合物は、蛍光体層２から入射したＲＧＢの光を選択的に透過させる。すなわち、感光層５は、赤色光Ｒが照射されると赤色光Ｒを透過させ、緑色光Ｇが照射されると緑色光Ｇを透過させ、青色光Ｂが照射されると青色光Ｂを透過させる。感光層５を透過したＲＧＢの光は、第１の選択反射層３および保護層７を透過して、カラー画像としてスクリーン１０上に表示される。
【００２８】
以上のように、本実施形態の透過型スクリーンでは、蛍光体層の前面側に、フォトクロミック化合物を含む感光層が設けられている。このフォトクロミック化合物は、通常は黒色または褐色であり可視光を吸収するが、特定波長の可視光が照射されると、その可視光を透過させるように、すなわち特定波長の可視光が照射された領域がその色に発色して見えるようになっている。これにより、スクリーンに表示されるＲＧＢ画像のコントラストを向上させることが可能となる。その結果、本実施形態の透過型スクリーンでは、等方的に発光する蛍光体が発光体として用いられていることにより、広視野角の画像表示が可能となるだけでなく、高コントラストな画像表示も可能となる。
【００２９】
蛍光体層と感光層とは、本実施形態では別の層として設けられているが、一体的に形成したり、本実施形態のフォトクロミック化合物を含むように蛍光体層を形成したりするなど、それぞれの層の機能を備えた１つの層として設けられていてもよい。
【００３０】
次に、本実施形態の透過型スクリーンを備えた背面投射型表示装置であるリアプロジェクタの構成および動作について説明する。以下では、本実施形態の透過型スクリーンを備えたリアプロジェクタとして、走査型プロジェクタを例に挙げるが、これに限定されるものではない。
【００３１】
図３に、本実施形態のリアプロジェクタの一構成例を示す。図３を参照すると、リアプロジェクタ１は、透過型スクリーン１０と、スクリーン１０に対して映像信号に基づいた励起光（本実施形態では紫外領域のレーザ光）を投射する映像投射部１００とを有している。映像投射部１００は、レーザ光源駆動部２５１、走査素子駆動部２５２、レーザ光源２５３、光学系２５４、水平走査素子２５５、および垂直走査素子２５６を有している。
【００３２】
レーザ光源２５３は、スクリーン１０に含まれる蛍光体層２の各色の蛍光体２Ｒ，２Ｇ，２Ｂ（図２参照）を励起するための紫外領域のレーザ光（励起光）を出力する。
【００３３】
光学系２５４は、レーザ光源２５３から出力されたレーザ光の進行方向に設けられており、入射したレーザ光を水平走査素子２５５に向けて反射する。水平走査素子２５５は、例えばＭＥＭＳ（Ｍｉｃｒｏ  Ｅｌｅｃｔｒｏ  Ｍｅｃｈａｎｉｃａｌ  Ｓｙｓｔｅｍｓ）ミラーなどに代表される共振型走査ミラーよりなり、光学系２５４からのレーザ光を水平方向に往復走査する。
【００３４】
垂直走査素子２５６は、水平走査素子２５５からのレーザ光の進行方向に設けられており、水平走査素子２５５からのレーザ光を垂直方向に往復走査する。垂直走査素子２５６は、ポリゴンミラーやガルバノミラーなどの走査手段により構成されていてよい。
【００３５】
レーザ光源駆動部２５１は、外部から供給された映像信号に基づく画像の各画素の輝度値に従ってレーザ光源２５３を駆動する。走査素子駆動部２５２は、外部から供給された映像信号の同期信号（水平同期信号や垂直同期信号）に従って水平走査素子２５５および垂直走査素子２５６を駆動する。
【００３６】
（第２の実施形態）
図４は、本発明の第２の実施形態における透過型スクリーンの概略断面図である。本実施形態を含め、以下に示す各実施形態では、第１の実施形態と同じ部材については図面に同じ符号を付し、説明は省略する。
【００３７】
本実施形態は、第１の実施形態に対して、感光層の構成を変更した変形例である。すなわち、感光層１５には、蛍光体層２に設けられたブラックストライプ２Ｋに対応して、同様のブラックストライプ１５Ｋが設けられている。これにより、感光層５から放射される光のスペクトルの空間的な広がりを小さくすることができ、コントラストだけでなく、色純度のさらなる向上も可能となる。これ以外の構成は、第１の実施形態と同様であり、得られる作用効果も、第１の実施形態と同様である。
【００３８】
（第３の実施形態）
図５は、本発明の第３の実施形態における透過型スクリーンの概略断面図である。
【００３９】
本実施形態は、第１の実施形態に対して、感光層および第１の選択反射層の構成を変更した変形例である。
【００４０】
本実施形態の感光層２５で用いるフォトクロミック化合物は、通常は黒色または褐色であり可視光を吸収するが、蛍光体層２の励起光である紫外光ＵＶの照射により、可視領域全域の光を透過させるようになっている。すなわち、通常は黒色または褐色である感光層２５は、紫外光ＵＶが照射されることで透明になる。また、フォトクロミック化合物は、第１の実施形態と同様に、加熱や、励起光である紫外光以外および蛍光体が発する可視光以外の光、例えば赤外光ＩＲの照射により、元の黒色または褐色に着色されるようになっている。このような感光層２５の構成の変更に伴い、本実施形態の蛍光体層２は、感光層２５に作用する光、すなわち、紫外光ＵＶと赤外光ＩＲとを透過させることができる。感光層２５には、第２の実施形態と同様のブラックストライプ２５Ｋも設けられている。
【００４１】
これに加えて、第１の選択反射層１３が、紫外光ＵＶを反射させるとともに、蛍光体層２から発せられ、紫外光ＵＶの照射により透明になった感光層１５を透過したＲＧＢの光を選択的に透過させるように構成されている。すなわち、第１の選択反射層１３は、赤色光Ｒのみを透過させる赤色透過層１３Ｒと、緑色光Ｇのみを透過させる緑色透過層１３Ｇと、青色光Ｂのみを透過させる青色透過層１３Ｂとを有している。赤色透過層１３Ｒ、緑色透過層１３Ｇ、および青色透過層１３Ｂは、それぞれ蛍光体層２の各蛍光体２Ｒ，２Ｇ，２Ｂに対応するように設けられており、本実施形態ではストライプ状に交互に配置されている。
【００４２】
このような感光層１５と第１の選択反射層１３の構成により、本実施形態においても、コントラストと色純度とをさらに向上させることができる。
【００４３】
（第４の実施形態）
図６は、本発明の第４の実施形態における透過型スクリーンの概略断面図である。
【００４４】
本実施形態は、第１の実施形態に対して、感光層の構成を変更した変形例である。
【００４５】
本実施形態の感光層３５は、蛍光体層２の励起光である紫外光ＵＶの照射により、蛍光体層２から発せられたＲＧＢの光を選択的に透過させるように構成されている。具体的には、感光層３５は、第２の実施形態と同様のブラックストライプ３５Ｋの間に配置された、赤色感光層３５Ｒ、緑色感光層３５Ｇ、および青色感光層３５Ｂを有している。赤色感光層３５Ｒ、緑色感光層３５Ｇ、および青色感光層３５Ｂは、背面側にある蛍光体層２の各蛍光体２Ｒ，２Ｇ，２Ｂに対応するように設けられ、本実施形態ではストライプ状に交互に配置されている。
【００４６】
赤色感光層３５Ｒ、緑色感光層３５Ｇ、および青色感光層３５Ｂにそれぞれ含まれるフォトクロミック化合物は、通常は黒色または褐色であり可視光を吸収するが、紫外光ＵＶの照射により、それぞれ赤色光Ｒ、緑色光Ｇ、および青色光Ｂを透過させるようになっている。したがって、例えば、通常は黒色または褐色である赤色感光層３５Ｒは、赤色蛍光体２Ｒを励起した紫外光ＵＶが照射されると、赤色蛍光体２Ｒから発せられた光の色（赤色）に発色して見えるようになる。このようにして、本実施形態の感光層３５は、第３の実施形態の感光層および第１の選択反射層の機能を併せ持つことができる。
【００４７】
本実施形態において、感光層３５の各フォトクロミック化合物を元の黒色または褐色に着色するのは、第１の実施形態と同様に、加熱や、励起光である紫外光以外および蛍光体が発する可視光以外の光、例えば赤外光ＩＲの照射である。したがって、蛍光体層２は、第３の実施形態と同様に、感光層３５に作用する光、すなわち、紫外光ＵＶと赤外光ＩＲとを透過させることができる。
【００４８】
（第５の実施形態）
図７は、本発明の第５の実施形態における透過型スクリーンの概略断面図である。
【００４９】
本実施形態は、第１の実施形態に対して、蛍光体層の構成と、それに伴う感光層の構成を変更した変形例である。さらに、この変更に応じて、映像投射部から投射される励起光も、第１の実施形態と異なっている。
【００５０】
本実施形態の蛍光体層１２は、赤色光Ｒを発する赤色蛍光体１２Ｒと、緑色光Ｇを発する緑色蛍光体１２Ｇと、青色光Ｂを拡散する拡散材１２Ｂとから構成されている。本実施形態では、赤色蛍光体１２Ｒおよび緑色蛍光体１２Ｇを励起するための励起光として、青色波長領域のレーザ光（青色光）Ｂが用いられる。したがって、蛍光体層１２から発せられる光は、第１の実施形態と同様に、ＲＧＢの光である。
【００５１】
赤色蛍光体１２Ｒ、緑色蛍光体１２Ｇ、および拡散材１２Ｂは、ストライプ状に交互に配置され、それぞれの間には、第１の実施形態と同様に、可視光を吸収するブラックストライプ１２Ｋが設けられている。赤色蛍光体１２Ｒ、緑色蛍光体１２Ｇ、および拡散材１２Ｂがマトリクス状に配置され、それらの間にブラックマトリクスが設けられていてもよい。
【００５２】
本実施形態の感光層４５で用いるフォトクロミック化合物は、特定波長の可視光の照射により、その特定波長の可視光を透過させるようになっている点で、第１の実施形態と同様である。すなわち、本実施形態の感光層４５は、通常は黒色または褐色であるが、特定波長の可視光が照射された領域だけが、その可視光の色に発色して見えるようになる。また、発色したフォトクロミック化合物が、加熱によって、元の黒色または褐色に着色される点も、第１の実施形態と同様である。しかしながら、本実施形態のフォトクロミック化合物は、第１の実施形態と異なり、励起光である青色光以外および蛍光体が発する可視光以外の光、例えば紫外光ＵＶの照射により、元の黒色または褐色に着色されるようになっている。これに伴い、蛍光体層１２は、感光層４５に作用する紫外光ＵＶを透過させることができる。
【００５３】
これ以外の構成は、第１の実施形態と同様であり、得られる作用効果も、第１の実施形態と同様である。
【００５４】
（第６の実施形態）
図８は、本発明の第６の実施形態における透過型スクリーンの概略断面図である。
【００５５】
本実施形態は、第５の実施形態に対して、感光層の構成を変更した変形例である。すなわち、本実施形態の感光層５５には、蛍光体層１２に設けられたブラックストライプ１２Ｋに対応して、同様のブラックストライプ５５Ｋが設けられている。このような構成は、第２の実施形態と同様である。これにより、感光層５５から放射される光の空間的な広がりを小さくすることができ、コントラストだけでなく、色純度のさらなる向上も可能となる。これ以外の構成は、第５の実施形態と同様であり、得られる作用効果も、第５の実施形態と同様である。
【００５６】
（第７の実施形態）
図９は、本発明の第７の実施形態における透過型スクリーンの概略断面図である。
【００５７】
本実施形態は、第５の実施形態に対して、感光層および第１の選択反射層の構成を変更した変形例である。第１の選択反射層としては、第３の実施形態の第１の選択反射層１３が用いられている。
【００５８】
本実施形態の感光層６５で用いるフォトクロミック化合物は、通常は黒色または褐色であり可視光を吸収するが、蛍光体層１２の励起光である青色光Ｂの照射により、可視領域全域の光を透過させるように、したがって透明になるように構成されている。このような構成は、第３の実施形態と同様である。一方、フォトクロミック化合物は、第５の実施形態と同様に、加熱や、励起光である青色光以外および蛍光体が発する可視光以外の光、例えば赤外光ＩＲの照射により、元の黒色または褐色に着色されるように構成されている。このような構成に応じて、蛍光体層１２は、感光層６５に作用する光、すなわち、青色光Ｂと紫外光ＵＶとを透過させることができる。感光層６５には、いくつかの実施形態と同様に、ブラックストライプ６５Ｋも設けられている。
【００５９】
このような感光層６５と、第３の実施形態と同様の第１の選択反射層１３との構成により、本実施形態においても、コントラストと色純度とをさらに向上させることができる。
【００６０】
（第８の実施形態）
図１０は、本発明の第２の実施形態における透過型スクリーンの概略断面図である。
【００６１】
本実施形態は、第５の実施形態に対して、感光層の構成を変更した変形例である。
【００６２】
本実施形態の感光層７５は、蛍光体層１２の励起光である青色光Ｂの照射により、蛍光体層１２から発せられたＲＧＢの光を選択的に透過させるように構成されている。具体的には、感光層７５は、第６の実施形態と同様のブラックストライプ７５Ｋの間に配置された、赤色感光層７５Ｒ、緑色感光層７５Ｇ、および青色感光層７５Ｂを有している。赤色感光層７５Ｒ、緑色感光層７５Ｇ、および青色感光層７５Ｂは、背面側にある蛍光体層１２の赤色蛍光体１２Ｒおよび緑色蛍光体１２Ｇと拡散材１２Ｂとに対応するように設けられ、本実施形態ではストライプ状に交互に配置されている。
【００６３】
赤色感光層７５Ｒ、緑色感光層７５Ｇ、および青色感光層７５Ｂにそれぞれ含まれるフォトクロミック化合物は、通常は黒色または褐色であり可視光を吸収するが、青色光Ｂの照射により、それぞれ赤色光Ｒ、緑色光Ｇ、および青色光Ｂを透過させるようになっている。したがって、例えば、通常は黒色または褐色である赤色感光層７５Ｒは、赤色蛍光体１２Ｒを励起した青色光が照射されると、赤色蛍光体１２Ｒから発せられた光の色（赤色）に発色して見えるようになる。このようにして、本実施形態の感光層７５は、第７の実施形態の感光層および第１の選択反射層の機能を併せ持つことができる。このような感光層７５の構成は、第４の実施形態の感光層３５と同様である。
【００６４】
本実施形態において、感光層７５の各フォトクロミック化合物を元の黒色または褐色に着色するのは、第５の実施形態と同様に、加熱や、励起光である青色光以外および蛍光体が発する可視光以外の光、例えば紫外光ＵＶの照射である。したがって、蛍光体層１２は、第７の実施形態と同様に、感光層７５に作用する光、すなわち、青色光Ｂと紫外光ＵＶとを透過させることができる。
【００６５】
上述の第５から第８の実施形態では、蛍光体層の励起光として青色光が用いられているが、これに限定されるものではなく、励起光は、赤色光、緑色光、および青色光のいずれか１つの色光であればよい。その場合、蛍光体層は、励起光である１つの色光を拡散する拡散材と、励起光以外の２つの色光をそれぞれ発する２つの蛍光体とから構成されている。
【符号の説明】
【００６６】
１  リアプロジェクタ
１０  透過型スクリーン
２，１２  蛍光体層
３，１３  第１の選択反射層
４  第２の選択反射層
５，１５，２５，３５，４５，５５，６５，７５  感光層
６  ベース部材
７  保護層
【図１】
2012220668.tif 000003
【図２】
2012220668.tif 000004
【図３】
2012220668.tif 000005
【図４】
2012220668.tif 000006
【図５】
2012220668.tif 000007
【図６】
2012220668.tif 000008
【図７】
2012220668.tif 000009
【図８】
2012220668.tif 000010
【図９】
2012220668.tif 000011
【図１０】
2012220668.tif 000012